【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
機体側に、回転自在に支持された第１回転体（１６１）と、第１回転体（１６１）の遊端側に、回転自在に支持された第２回転体（１６２）とを備え、第１回転体（１６１）の回転に連動して、第２回転体（１６２）を第１回転体（１６１）とは逆方向に回転させると共に、この第２回転体（１６２）の遊端側に、植付カップ（１５５）を上下運動させるように支持した移植機において、
第１回転体（１６１）の回転に連動して上下運動するように、第２回転体（１６２）に対し逆方向に相対回転する上下運動体（１６３）が、第２回転体（１６２）の遊端側に支持され、前記上下運動体（１６３）と植付カップ（１５５）との間に、上下運動体（１６３）の上下運動に連動して植付カップ（１５５）に作用する連動手段が設けられていることを特徴とする移植機。
【請求項２】
前記連動手段が、上下運動体（１６３）の上下運動に連動して植付カップ（１５５）を前後に首振り運動させる首振り連動機構（２５１）とされ、この首振り連動機構（２５１）は、上下運動体（１６３）側に揺動自在に支持されたカップ支持体（１６４）と、カップ支持体（１６４）と上下運動体（１６３）との間に設けられた首振り用カム機構（２５５）とを備え、カップ支持体（１６４）に植付カップ（１５５）が連結され、首振り用カム機構（２５５）は、植付カップ（１５５）を前後に首振り運動させるように、上下運動体（１６３）の上下運動に連動してカップ支持体（１６４）を揺動させることを特徴とする請求項１に記載の移植機。
【請求項３】
前記第２回転体（１６２）の遊端部に支持軸体（１９８）が設けられ、この支持軸体（１９８）に、上下運動体（１６３）の基部が相対回転自在に外嵌保持され、前記首振り用カム機構（２５５）は、前記支持軸体（１９８）に固設された首振り用カム（２６４）を備え、前記カップ支持体（１６４）は、上下運動体（１６３）の上下運動に連動して揺動するように首振り用カム（２６４）に接当されていることを特徴とする請求項２に記載の移植機。
【請求項４】
前記連動手段が、上下運動体（１６３）の上下運動に連動して植付カップ（１５５）を開閉させる開閉連動機構（２５２）とされ、開閉連動機構（２５２）は、上下運動体（１６３）側に、揺動自在に支持された開閉用揺動レバー（２６６）と、上下運動体（１６３）の上下運動に連動して開閉揺動レバー（２６６）を揺動させる開閉用カム機構（２６７）とを備え、開閉揺動レバー（２６６）の揺動によって植付カップ（１５５）を開閉動作させるように、開閉用揺動レバー（２６６）が植付カップ（１５５）の開閉リンク（２２０ａ）に連結されていることを特徴とする請求項１に記載の移植機。
【請求項５】
前記第２回転体（１６２）の遊端部に支持軸体（１９８）が突設され、この支持軸体（１９８）に、上下運動体（１６３）の基部が相対回転自在に外嵌保持され、前記開閉用カム機構（２６７）は、前記支持軸体（１９８）に連動して回転する開閉用カム（２７２）を備え、前記開閉用揺動レバー（２６６）は、上下運動体（１６３）の上下運動に連動して揺動するように開閉用カム（２７２）に接当されていることを特徴とする請求項４に記載の移植機。
【請求項６】
前記連動手段が、上下運動体（１６３）の上下運動に連動して植付カップ（１５５）の内面にスクレーパ部材（２２５）を圧接させるスクレーパ連動機構（２５３）とされ、前記スクレーパ連動機構（２５３）は、上下運動体（１６３）側に、揺動自在に支持されたスクレーパ用揺動レバー（２７５）と、上下運動体（１６３）の上下運動に連動してスクレーパ用揺動レバー（２７５）を揺動させるスクレーパ用カム機構（２７６）とを備え、スクレーパ用揺動レバー（２７５）の揺動によってスクレーパ部材（２２５）を植付カップ（１５５）の内面に圧接させるように、スクレーパ用揺動レバー（２７５）がスクレーパ部材（２２５）に連結されていることを特徴とする請求項１に記載の移植機。
【請求項７】
前記第２回転体（１６２）の遊端部に支持軸体（１９８）が突設され、この支持軸体（１９８）に、上下運動体（１６３）の基部が相対回転自在に外嵌保持され、前記スクレーパ用カム機構（２７６）は、前記支持軸体（１９８）に連動して回転するスクレーパ用カム（２８３）を備え、前記スクレーパ用揺動レバーは（２７５）、上下運動体（１６３）の上下運動に連動して揺動するようにスクレーパ用カム（２８３）に接当されていることを特徴とする請求項６に記載の移植機。
【請求項８】
前記スクレーパ部材（２２５）は、植付カップ（１５５）の前後内面をそれぞれ摺動する前スクレーパ（２２６）と後スクレーパ（２２７）とを有し、植付カップ（１５５）の前後内面の傾斜に対応して、前スクレーパ（２２６）と後スクレーパ（２２７）とが下方に向かうに従って両者の前後間隔が次第に小さくなるように先窄まり状に傾斜して支持され、植付カップ（１５５）が開いた状態で上昇するときに、前スクレーパ（２２６）と後スクレーパ（２２７）とが、植付カップ（１５５）の前後内面にそれぞれ圧接するように植付カップ（１５５）に対してバネ（２３７）を介して下方に付勢されるように構成されていることを特徴とする請求項６又は７に記載の移植機。
【請求項９】
前記第１回転体（１６１）と第２回転体（１６２）と上下運動体（１６３）とを有する植付カップ駆動機構（１５６）が、左右に対応して対に設けられ、
前記対の植付カップ駆動機構（１５６）の各第１回転体（１６１）を回転自在に支持する対の揺動フレーム（１２１）が設けられ、各揺動フレーム（１２１）は、植付カップ（１５５）の上死点側の苗受け取り位置が略一定になって、植付カップ（１５５）の下死点側の植え付け位置が左右方向に変更可能になるように、機体側に左右に揺動調整可能に取り付けられていることを特徴とする請求項１〜８のいずれか１項に記載の移植機。
【請求項１０】
機体側に、回転自在に支持された第１回転体（１６１）と、第１回転体（１６１）の遊端側に、回転自在に支持された第２回転体（１６２）とを備え、第１回転体（１６１）の回転に連動して、第２回転体（１６２）を第１回転体（１６１）とは逆方向に回転させると共に、この第２回転体（１６２）の遊端側に、植付カップ（１５５）を上下運動させるように支持した移植機において、
第１回転体（１６１）の回転に連動して、回転することなく上下運動するように、第２回転体（１６２）に対し逆方向に相対回転する上下運動体（１６３）が設けられていることを特徴とする移植機。
【請求項１１】
機体側に、第１回転軸（１６６）が回転自在に支持され、第１回転軸（１６６）に第１回転体（１６１）が固設され、機体側に第１太陽ギヤ（１６７）が固定され、前記第１回転体（１６１）に、第１太陽ギヤ（１６７）と噛合する第１遊星ギヤ（１６８）が回転自在に支持され、第１回転体（１６１）の遊端側に、第２回転軸（１７１）が回転自在に支持され、第１遊星ギヤ（１６８）と噛合する第１出力ギヤ（１６９）が、第２回転軸（１７１）に固設され、
第２回転軸（１７１）に第２回転体（１６２）が固設され、第１回転体（１６１）に第２太陽ギヤ（１７２）が固定され、前記第２回転体（１６２）に、第２太陽ギヤ（１７２）と噛合する第２遊星ギヤ（１７３）が回転自在に支持され、
第２回転体（１６２）の遊端側に、第３回転軸（１７５）が回転自在に支持され、第２遊星ギヤ（１７３）と噛合する第２出力ギヤ（１７４）が、第３回転軸（１７３）に固設され、第３回転軸（１７３）に上下運動体（１６３）が固設されていることを特徴とする請求項１〜１０のいずれか１項に記載の移植機。